(57)【要約】【課題】  移動携帯端末によって、位置に関係するスケジュールの内容を、その位置で的確に通知する。【解決手段】  ＧＰＳ受信部１０により現在位置を特定可能な移動携帯端末であって、スケジュールに係る位置を登録する位置登録手段と、スケジュールの内容を登録するスケジュール内容登録手段と、ＧＰＳ受信部１０により特定される現在位置が、登録位置をもとに設定される適用エリア内に入ったとき、スケジュールの内容を通知するスケジュール通知手段とを備える。【選択図】      図１
2005223782.tif 000002
【特許請求の範囲】
【請求項１】
ＧＰＳ受信部により現在位置を特定可能な移動携帯端末であって、
スケジュールに係る位置を登録する位置登録手段と、
前記スケジュールの内容を登録するスケジュール内容登録手段と、
前記ＧＰＳ受信部により特定される現在位置が、前記登録位置をもとに設定される適用エリア内に入ったとき、前記スケジュールの内容を通知するスケジュール通知手段と
を備えることを特徴とする移動携帯端末。
【請求項２】
前記スケジュール通知手段が、前記スケジュールの内容を通知するとき、音又は振動により前記スケジュールの存在を報知し、かつ前記スケジュールの内容を画面に表示することを特徴とする請求項１記載の移動携帯端末。
【請求項３】
前記位置登録手段が、前記ＧＰＳ受信部により特定される現在位置を、前記スケジュールに係る位置として登録する第一の位置登録モードを備えることを特徴とする請求項１又は２記載の移動携帯端末。
【請求項４】
前記位置登録手段が、緯度及び経度の入力を求め、入力された緯度及び経度を、前記スケジュールに係る位置として登録する第二の位置登録モードを備えることを特徴とする請求項１〜３のいずれかに記載の移動携帯端末。
【請求項５】
前記位置登録手段が、予め記憶した位置の名称を表示し、その中から選択された位置を、前記スケジュールに係る位置として登録する第三の位置登録モードを備えることを特徴とする請求項１〜４のいずれかに記載の移動携帯端末。
【請求項６】
前記適用エリアが、前記登録位置を中心とする円の範囲であり、その半径が任意に設定されることを特徴とする請求項１〜５のいずれかに記載の移動携帯端末。
【発明の詳細な説明】
【技術分野】
【０００１】
本発明は、ＧＰＳ受信部により現在位置を特定可能な携帯電話機などの移動携帯端末に関し、特に、予め登録した位置に行くと、その位置に係るスケジュールが通知される移動携帯端末に関する。
【背景技術】
【０００２】
近年、ＧＰＳ受信部を備える移動携帯端末が普及している。ＧＰＳ受信部は、３以上のＧＰＳ衛星から測位信号を受信し、これらの測位信号にもとづいて現在位置を特定するように構成されており、特定した位置情報は、現在位置を表示する機能や、現在位置を他の端末に通知する機能において利用されている。
【０００３】
また、ＧＰＳ受信部により特定された現在位置と、予め登録された位置又はエリアとを比較し、これらが一致した場合に、所定の動作を行うようにした移動携帯端末も提案されている（例えば、特許文献１、２参照。）。
例えば、特許文献１に示される移動携帯端末は、予め目的地を登録すると、現在位置が目的地に一致したとき、目的地への到着を報知するように構成されている。このような移動携帯端末によれば、列車やバスで居眠りをしても、目的地への到着が報知されるので、乗り越しを防止することができる。
【０００４】
また、特許文献２に示される移動携帯端末は、予め登録したエリアに入ると、マナーモードへの切り換えを警告したり、自動的にマナーモードに切り換えるように構成されている。このような移動携帯端末によれば、図書館、美術館、コンサート会場などのマナーが重視される場所において、マナーモードへの切り換えが確実に行われるので、着信音によるマナー違反を防止することができる。
【特許文献１】特開２００１−２４１９６４号公報
【特許文献２】特開２００２−９５０６０号公報
【発明の開示】
【発明が解決しようとする課題】
【０００５】
ところで、「場所Ａへ行ったら、行動Ｂをする。」というスケジュールがあるとき、特許文献１、２に示される移動携帯端末の報知機能を利用すれば、「場所Ａ」でスケジュールの存在を報知することが可能である。つまり、上記の移動携帯端末において、予め「場所Ａ」の位置情報を登録すると、「場所Ａ」に行ったとき、移動携帯端末が報知動作するからである。
しかしながら、「行動Ｂ」というスケジュールの内容を忘れている場合には、たとえ「場所Ａ」で移動携帯端末が報知動作しても、「行動Ｂ」を思いだすことができず、そのスケジュールが実行されない可能性がある。
【０００６】
なお、移動携帯端末のスケジュール管理機能を利用してスケジュールの内容を通知することも可能であるが、従来のスケジュール管理機能は、スケジュールの内容を日時に関連付けて管理し、その日時にスケジュールの内容を通知するため、上記のように日時が曖昧なスケジュールを的確に通知することは困難である。
【０００７】
本発明は、上記の事情にかんがみなされたものであり、位置に関係するスケジュールの内容を、その位置で的確に通知することができる移動携帯端末の提供を目的とする。
【課題を解決するための手段】
【０００８】
上記目的を達成するため本発明の移動携帯端末は、ＧＰＳ受信部により現在位置を特定可能な移動携帯端末であって、スケジュールに係る位置を登録する位置登録手段と、前記スケジュールの内容を登録するスケジュール内容登録手段と、前記ＧＰＳ受信部により特定される現在位置が、前記登録位置をもとに設定される適用エリア内に入ったとき、前記スケジュールの内容を通知するスケジュール通知手段とを備える構成としてある。
【０００９】
このように構成すれば、位置に関係するスケジュールの内容を、その位置で的確に通知することができる。例えば、「場所Ａへ行ったら、行動Ｂをする。」というスケジュールがあるとき、スケジュールに係る位置として「場所Ａ」を登録し、スケジュールの内容として「行動Ｂ」を登録しておけば、「場所Ａ」へ行ったとき、「行動Ｂ」が通知される。これにより、「場所Ａへ行ったら、行動Ｂをする。」というスケジュールを確実に実行することができる。
【００１０】
また、本発明の移動携帯端末は、前記スケジュール通知手段が、前記スケジュールの内容を通知するとき、音又は振動により前記スケジュールの存在を報知し、かつ前記スケジュールの内容を画面に表示する構成としてある。
このように構成すれば、その位置に係るスケジュールの存在が確実に報知されるので、スケジュール内容の見忘れを防止し、スケジュールの実行を促すことができる。
【００１１】
また、本発明の移動携帯端末は、前記位置登録手段が、前記ＧＰＳ受信部により特定される現在位置を、前記スケジュールに係る位置として登録する第一の位置登録モードを備える構成としてある。
このように構成すれば、スケジュールに係る位置として現在位置を登録する場合、緯度や経度の入力を省き、ユーザの労力を軽減することができる。
【００１２】
また、本発明の移動携帯端末は、前記位置登録手段が、緯度及び経度の入力を求め、入力された緯度及び経度を、前記スケジュールに係る位置として登録する第二の位置登録モードを備える構成としてある。
このように構成すれば、ＧＰＳの測位誤差を含まない正確な位置登録が可能になるので、スケジュール通知の位置精度を向上させることができる。
【００１３】
また、本発明の移動携帯端末は、前記位置登録手段が、予め記憶した位置の名称を表示し、その中から選択された位置を、前記スケジュールに係る位置として登録する第三の位置登録モードを備える構成としてある。
このように構成すれば、位置の名称を選択するだけで、スケジュールに係る位置を登録できるので、ユーザの労力を軽減することができる。
【００１４】
また、本発明の移動携帯端末は、前記適用エリアが、前記登録位置を中心とする円の範囲であり、その半径が任意に設定される構成としてある。
このように構成すれば、ユーザの好みやスケジュールの種類に応じて、適用エリアの広さを任意に設定することが可能になる。また、ＧＰＳの測位誤差を考慮した適用エリアの設定により、ＧＰＳの測位誤差に起因するスケジュール通知の遅れなども解消できる。
【発明の効果】
【００１５】
以上のように、本発明によれば、スケジュールに係る位置と、スケジュールの内容を登録することにより、登録位置を含む適用エリアにおいて、登録したスケジュールの内容が通知されるので、その位置に係るスケジュールを確実に実行することができる。
【発明を実施するための最良の形態】
【００１６】
以下、本発明の実施形態について、図面を参照して説明する。
図１は、本発明の実施形態に係る移動携帯端末の構成を示すブロック図である。
この図に示すように、本実施形態の移動携帯端末は、ＧＰＳ受信部１０、携帯電話送受信部２０、入力部３０、出力部４０、制御部５０、記憶部６０などを備えて構成されている。
【００１７】
ＧＰＳ受信部１０は、ＧＰＳアンテナ１１を介して、３以上のＧＰＳ衛星からの測位信号を受信し、これらの測位信号にもとづいて、移動携帯端末の現在位置（緯度及び経度）を特定する。
携帯電話送受信部２０は、携帯電話アンテナ２１を介して、基地局との間で携帯電話用の電波信号を送受信する。
【００１８】
入力部３０は、キーパット、マイクロホンなどの入力手段を有し、これらの入力手段を介して、ユーザによる情報入力を受付ける。
出力部４０は、スピーカ、バイブレータなどの報知手段や、液晶パネルなどの表示手段を有し、これらの動作により、着信の報知、スケジュールの報知、スケジュールの内容表示などを行う。
【００１９】
制御部５０は、移動携帯端末の各部を制御する部分であり、ソフトウエアで構成される機能的な構成部分として、位置比較部５１、スケジュール通知処理部５２、携帯電話制御部５３などを備えている。
位置比較部５１は、ＧＰＳ受信部１０で周期的に算出される最新の現在位置と、記憶部６０に記憶された登録位置の適用エリアとを比較照合し、携帯電話制御部５３は、携帯電話機能に関する制御を行う。
【００２０】
スケジュール通知処理部５２は、本発明のスケジュール通知機能に関する設定及び制御を行う部分であり、機能的な構成として、位置登録手段、適用エリア設定手段、スケジュール内容登録手段及びスケジュール通知手段を備えている。
位置登録手段は、スケジュールに係る位置を登録するための処理手段であり、以下の三つの位置登録モードを含んでいる。
【００２１】
第一の位置登録モードは、現在の位置を登録するためのモードである。このモードでは、ＧＰＳ受信部１０により特定された現在位置が、スケジュールに係る位置として登録される。
第二の位置登録モードは、任意の位置を登録するためのモードである。このモードでは、緯度及び経度の入力が求められ、ここで入力された緯度及び経度が、スケジュールに係る位置として登録される。
第三の位置登録モードは、予め記憶された位置を選択登録するためのモードである。このモードでは、予め記憶した位置の名称が表示され、その中から選択された位置が、スケジュールに係る位置として登録される。
【００２２】
予め記憶した位置には、ユーザが過去に登録した位置だけでなく、出荷段階で移動携帯端末に予め記憶されているサンプル位置が含まれる。サンプル位置には、交通頻度の高い目標物の位置（例えば、東京駅など）が多く含まれることが好ましい。
なお、スケジュールに係る位置の登録モードは、上記のものに限定されない。例えば、画面に地図を表示し、地図上で選択された位置を、スケジュールに係る位置として登録するモードを追加してもよい。
【００２３】
適用エリア設定手段は、スケジュール通知の適用エリアを設定するための処理手段である。本実施形態では、登録位置を中心とする円の範囲が適用エリアであり、その半径距離を任意に設定できるようにしてある。
なお、適用エリアの形状は、円に限定されない。例えば、適用エリアを多角形とし、その頂点位置を登録するようにしてもよい。
【００２４】
スケジュール内容登録手段は、スケジュールの内容を登録するための処理手段である。本実施形態では、表示画面でスケジュール内容の入力を求め、ユーザがキー入力した文字情報をスケジュールの内容として登録するようにしてある。
なお、スケジュールの内容は、文字情報に限定されない。例えば、マイクロフォンから入力された音声メモをスケジュールの内容として登録し、スケジュールを通知する際に、音声メモを再生するようにしてもよい。
【００２５】
スケジュール通知手段は、ＧＰＳ受信部１０により特定される現在位置が、登録位置をもとに設定される適用エリア内に入ったとき、スケジュールの内容を通知するための処理手段である。本実施形態では、スケジュールの内容を通知するとき、報知手段の音又は振動によりスケジュールの存在を報知し、かつスケジュールの内容を画面に表示するようにしてある。
【００２６】
記憶部６０は、各種の情報を記憶する部分であり、登録位置、位置名称、適用エリア（半径距離）などを記憶する設定位置記憶部６１と、ユーザが過去に登録した位置やサンプル位置を記憶する位置記憶部６２と、登録されたスケジュールの内容を記憶するスケジュール内容記憶部６３とを含んでいる。
【００２７】
つぎに、本実施形態に係る移動携帯端末の動作について、図２〜図５を参照して説明する。
図２は、スケジュール設定モード（第一及び第二の位置登録モード）の処理手順を示すフローチャート、図３は、スケジュール設定モード（第三の位置登録モード）の処理手順を示すフローチャート、図４は、スケジュール設定モード（適用エリア設定及びスケジュール内容登録）の処理手順を示すフローチャートである。
【００２８】
メニュー画面でスケジュール設定が選択されると、図２〜図４に示すスケジュール設定モードに移行する。スケジュール設定モードでは、まず、位置登録モードの選択画面を表示し（Ｓ１０１）、ユーザの選択操作を待つ（Ｓ１０２）。選択操作が終わると、選択された位置登録モードを判断する（Ｓ１０３）。ここで、第一の位置登録モードが選択された場合には、位置の名称入力画面を表示し（Ｓ１０４）、ユーザの入力操作を待つ（Ｓ１０５）。位置の名称入力が終わると、ＧＰＳ受信部１０で現在位置を算出し（Ｓ１０６）、この位置情報を位置名称と対応させて設定位置記憶部６１に記憶させる（Ｓ１０７）。
【００２９】
第二の位置登録モードが選択された場合も、位置の名称入力画面を表示し（Ｓ１０８）、ユーザの入力操作を待つ（Ｓ１０９）。位置の名称入力が終わると、緯度及び経度の入力画面を表示し（Ｓ１１０）、ユーザの入力操作を待つ（Ｓ１１１）。緯度及び経度の入力が終わると、この位置情報を位置名称と対応させて設定位置記憶部６１に記憶させる（Ｓ１０７）。
【００３０】
図３に示すように、第三の位置登録モードが選択された場合は、位置記憶部６２に記憶されている位置名称を読み出すとともに（Ｓ１１２）、これらの位置名称を画面に一覧表示し（Ｓ１１３）、ユーザの選択操作を待つ（Ｓ１１４）。選択操作が終わると、選択された位置の情報を位置名称と対応させて設定位置記憶部６１に記憶させる（Ｓ１１５）。
【００３１】
図４に示すように、位置登録が終わると、適用エリア（半径距離）の設定画面を表示し（Ｓ１１６）、ユーザの設定操作を待つ（Ｓ１１７）。適用エリアの設定操作が終わると、適用エリアの設定内容を設定位置記憶部６１に記憶させる（Ｓ１１８）。つぎに、スケジュールの内容入力画面を表示し（Ｓ１１９）、ユーザの入力操作を待つ（Ｓ１２０）。スケジュールの内容入力操作が終わると、入力されたスケジュールの内容をスケジュール内容記憶部６３に記憶させ（Ｓ１２１）、スケジュール設定モードが終了する。
【００３２】
図５は、通常モード（スケジュール通知）の処理手順を示すフローチャートである。
位置登録、適用エリア設定及びスケジュール内容登録が済み、スケジュール設定モードが終了すると、通常モードに移行する。通常モードでは、ＧＰＳ受信部１０により周期的に最新の現在位置情報を算出し（Ｓ２０１）、これを制御部５０の位置比較部５１に通知する。位置比較部５１は、設定位置記憶部６１に記憶されている登録位置の適用エリアと現在位置を比較照合し、現在位置が適用エリア内であるか否かを判断する（Ｓ２０２）。この判断結果がＮＯである場合は、上記の処理が繰り返される。
【００３３】
一方、現在の位置が適用エリア内であると判断した場合は、報知手段を動作させ（Ｓ２０３）、音又は振動によりスケジュールの存在を報知するとともに、スケジュール内容記憶部６３から対応するスケジュール内容を読み出し、これを画面に表示させる（Ｓ２０４）。これにより、ユーザは、現在の位置に関するスケジュールの存在や、スケジュールの内容を認識することができる。
【００３４】
以上のように構成された本実施形態の移動携帯端末によれば、スケジュールに係る位置を登録する位置登録手段と、スケジュールの内容を登録するスケジュール内容登録手段と、ＧＰＳ受信部１０により特定される現在位置が、登録位置をもとに設定される適用エリア内に入ったとき、スケジュールの内容を通知するスケジュール通知手段とを備えるので、位置に関係するスケジュールの内容を、その位置で的確に通知することができる。
【００３５】
また、本実施形態の移動携帯端末は、スケジュールの内容を通知するとき、音又は振動によりスケジュールの存在を報知した上で、スケジュールの内容を画面に表示するので、その位置に係るスケジュールの存在をユーザに確実に報知し、スケジュール内容を見忘れを防止することができる。
【００３６】
また、本実施形態の移動携帯端末は、ＧＰＳ受信部１０により特定される現在位置を、スケジュールに係る位置として登録する第一の位置登録モードを備えるので、スケジュールに係る位置として現在位置を登録する場合、緯度や経度の入力を省き、ユーザの労力を軽減することができる。
【００３７】
また、本実施形態の移動携帯端末は、緯度及び経度の入力を求め、入力された緯度及び経度を、スケジュールに係る位置として登録する第二の位置登録モードを備えるので、ＧＰＳの測位誤差を含まない正確な位置登録が可能になり、スケジュール通知の位置精度を向上させることができる。
【００３８】
また、本実施形態の移動携帯端末は、予め記憶した位置の名称を表示し、その中から選択された位置を、スケジュールに係る位置として登録する第三の位置登録モードを備えるので、位置の名称を選択するだけで、スケジュールに係る位置の登録が可能になり、ユーザの労力を軽減することができる。
【００３９】
また、本実施形態の移動携帯端末では、スケジュール通知の適用エリアが、登録位置を中心とする円の範囲であり、その半径距離を任意に設定することが可能であるため、ユーザの好みやスケジュールの種類に応じて、適用エリアの広さを任意に設定できる。また、ＧＰＳの測位誤差を考慮した適用エリアの設定により、ＧＰＳの測位誤差に起因するスケジュール通知の遅れなども解消できる。
【産業上の利用可能性】
【００４０】
本発明は、ＧＰＳ受信部により現在位置を特定可能な携帯電話機、ＰＤＡ、携帯型パソコンなどの移動携帯端末に適用される。特に、ユーザが常に携帯するＧＰＳ付き携帯電話機において有用なものである。
【図面の簡単な説明】
【００４１】
【図１】本発明の実施形態に係る移動携帯端末の構成を示すブロック図である。
【図２】スケジュール設定モード（第一及び第二の位置登録モード）の処理手順を示すフローチャートである。
【図３】スケジュール設定モード（第三の位置登録モード）の処理手順を示すフローチャートである。
【図４】スケジュール設定モード（適用エリア設定及びスケジュール内容登録）の処理手順を示すフローチャートである。
【図５】通常モード（スケジュール通知）の処理手順を示すフローチャートである。
【符号の説明】
【００４２】
１０  ＧＰＳ受信部
２０  携帯電話送受信部
３０  入力部
４０  出力部
５０  制御部
５１  位置比較部
５２  スケジュール通知処理部
５３  携帯電話制御部
６０  記憶部
６１  設定位置記憶部
６２  位置記憶部
６３  スケジュール内容記憶部
【図１】
2005223782.tif 000003
【図２】
2005223782.tif 000004
【図３】
2005223782.tif 000005
【図４】
2005223782.tif 000006
【図５】
2005223782.tif 000007